(57)【特許請求の範囲】
【請求項１】
時計機能を有する計時部を備えた画像表示装置の制御方法であって、
初回起動か否かを判定する初回起動判定ステップと、
前記初回起動判定ステップにおいて初回起動と判定されたとき、前記計時部の時刻設定を行うための時刻設定画面を表示する時刻設定画面表示ステップと、
前記時刻設定画面表示ステップにおいて前記時刻設定画面を表示した後、前記計時部の時刻に対応した初回起動タイムスタンプを記憶する初回起動タイムスタンプ記憶ステップと、
を含み、
前記初回起動判定ステップは、前記時刻設定画面の表示後に変更される第１のフラグに基づいて初回起動か否かを判定し、
前記初回起動タイムスタンプ記憶ステップは、前記初回起動タイムスタンプの設定後に変更される第２のフラグに応じて、前記初回起動タイムスタンプを記憶し、
第３のフラグを操作することにより、前記第１のフラグを初期化するフラグ初期化ステップを含むことを特徴とする画像表示装置の制御方法。
【請求項２】
請求項１において、
前記画像表示装置は、入力操作を受け付ける操作部を備え、
前記初回起動タイムスタンプ記憶ステップでは、
前記時刻設定画面において、前記操作部による時刻設定の指示が行われたとき、設定後の時刻を前記計時部に設定した後、前記計時部の時刻に対応した初回起動タイムスタンプを記憶し、
前記時刻設定画面において、前記操作部による時刻設定の指示が行われないとき、前記計時部の時刻に対応した初回起動タイムスタンプを記憶することを特徴とする画像表示装置の制御方法。
【請求項３】
請求項１又は２において、
前記計時部に設定されている時刻を用いて、エラーログ又は前記画像表示装置の構成部品の交換ログを更新するログ更新ステップを含むことを特徴とする画像表示装置の制御方法。
【請求項４】
時計機能を有する計時部と、
初回起動のとき、前記計時部の時刻設定を行うための時刻設定画面に対応した画像を表示する画像表示部と、
前記時刻設定画面を表示した後、前記計時部の時刻に対応した初回起動タイムスタンプを記憶する初回起動タイムスタンプ記憶部と、
を含み、
前記画像表示部は、前記時刻設定画面の表示後に変更される第１のフラグに基づいて、前記時刻設定画面に対応した画像を表示し、
前記初回起動タイムスタンプ記憶部は、前記初回起動タイムスタンプの設定後に変更される第２のフラグに応じて、前記初回起動タイムスタンプを記憶し、
第３のフラグがセットされたことを検出すると、前記第１のフラグを初期化する制御部を含むことを特徴とする画像表示装置。
【請求項５】
請求項４において、
前記計時部に設定されている時刻を用いて、エラーログ又は前記画像表示装置の構成部品の交換ログを更新するログ更新部を含むことを特徴とする画像表示装置。
【発明の詳細な説明】
【技術分野】
【０００１】
本発明は、画像表示装置の制御方法、及び画像表示装置等に関し、例えば時計機能を有する画像表示装置の制御方法、及び画像表示装置等に関する。
【背景技術】
【０００２】
従来、ユーザーがプロジェクターを長期間にわたって使用してもらうために、プロジェクターの構成部品によっては、構成部品の交換が容易にできるように構成されている。特に、光源部としてのランプを有するランプユニットは、寿命が低下しやすい上に、ランプユニット自体の価格が高価である。そのため、プロジェクターは、ランプユニットの交換を適切なタイミングで行うことが可能な技術を搭載しており、このようなプロジェクターの長期の快適な使用を可能とする技術が、種々提案されている。
【０００３】
例えば特許文献１には、ランプユニットを交換する際に、新品の状態でランプユニットを交換することができるようにした技術が開示されている。具体的には、特許文献１には、通常投写時に溶断可能に構成されるヒューズを備えたランプユニットにおいて、点灯試験を行うときにヒューズが導通状態を維持できるようにヒューズの溶断制御を行うようにした技術が開示されている。
これにより、ユーザーは、安心して新品の状態のランプユニットに交換することができるようになる。
【０００４】
また、例えば特許文献２には、ランプユニットの正確な交換時期を通知することができるようにした技術が開示されている。具体的には、特許文献２には、プロジェクターの設置状態毎にランプの点灯時間を積算するようにした技術が開示されている。
これにより、適切な冷却が行われない設置状態でランプが点灯された場合でも、正確なランプユニットの交換時期を通知することができるようになる。
【先行技術文献】
【特許文献】
【０００５】
【特許文献１】特開２０１０−２４４６９９号公報
【特許文献２】特開２０１１−７５９７２号公報
【発明の概要】
【発明が解決しようとする課題】
【０００６】
ところで、プロジェクターを継続して快適に使用してもらうためには、所定の保証期間内にユーザーに適切な保証サービスを提供することが望ましい。そのため、保証サービスの提供側は、ユーザーがプロジェクターの利用の開始時刻を把握することが望ましい。
【０００７】
しかしながら、特許文献１及び特許文献２に開示された技術は、ユーザーにとって構成部品の交換を適切に行うための技術である。そのため、特許文献１及び特許文献２に開示された技術を適用したとしても、保証期間内に適切な保証サービスを提供することはできない。これは、プロジェクターに限らず、画像表示装置全般についても共通する課題である。
【０００８】
本発明は、以上のような技術的課題に鑑みてなされたものである。本発明の幾つかの態様によれば、ユーザーの利用開始時刻を把握することができる画像表示装置の制御方法、及び画像表示装置等を提供することができる。
【課題を解決するための手段】
【０００９】
（１）本発明の第１の態様は、時計機能を有する計時部を備えた画像表示装置の制御方法が、初回起動か否かを判定する初回起動判定ステップと、前記初回起動判定ステップにおいて初回起動と判定されたとき、前記計時部の時刻設定を行うための時刻設定画面を表示する時刻設定画面表示ステップと、前記時刻設定画面表示ステップにおいて前記時刻設定画面を表示した後、前記計時部の時刻に対応した初回起動タイムスタンプを記憶する初回起動タイムスタンプ記憶ステップとを含む。
【００１０】
ここで、初回起動とは、例えば画像表示装置が梱包された状態で工場出荷された後、ユーザーにより梱包が解かれ、初めて電源を投入して起動させることを意味することができる。
本態様においては、画像表示装置に、計時部を設けている。この画像表示装置において、上記の初回起動か否かを判定し、初回起動と判定されたとき、時刻設定画面を表示し、時刻設定画面を表示した初回のみ計時部の時刻に対応した初回起動タイムスタンプを記憶（設定）する。
これにより、画像表示装置のユーザーの利用開始時刻を把握することができるようになる。その結果、保証サービスの提供側が、利用開始時刻を基準とした保証期間内に適切な保証サービスを提供することができるようになる。
【００１１】
（２）本発明の第２の態様に係る画像表示装置の制御方法は、第１の態様において、前記画像表示装置は、入力操作を受け付ける操作部を備え、前記初回起動タイムスタンプ記憶ステップでは、前記時刻設定画面において、前記操作部による時刻設定の指示が行われたとき、設定後の時刻を前記計時部に設定した後、前記計時部の時刻に対応した初回起動タイムスタンプを記憶し、前記時刻設定画面において、前記操作部による時刻設定の指示が行われないとき、前記計時部の時刻に対応した初回起動タイムスタンプを記憶する。
本態様によれば、上記の効果に加えて、初回起動時において、画像表示装置は、既に設定された時刻、又はユーザーによる設定後の時刻を初回タイムスタンプとして記憶することができるようになる。
【００１２】
（３）本発明の第３の態様に係る画像表示装置の制御方法では、第１の態様又は第２の態様において、前記初回起動判定ステップは、前記時刻設定画面の表示後に変更される第１のフラグに基づいて初回起動か否かを判定し、前記初回起動タイムスタンプ記憶ステップは、前記初回起動タイムスタンプの設定後に変更される第２のフラグに応じて、前記初回起動タイムスタンプを記憶する。
本態様においては、初回起動か否かを判定するための第１のフラグ、及び初回起動タイムスタンプを記憶するか否かを判定するための第２のフラグを用いている。こうすることで、簡素なフラグ処理により画像表示装置のユーザーの利用開始時刻を把握することができるようになる。
また、第１のフラグを時刻設定画面の表示後に変更し、第２のフラグを初回起動タイムスタンプの設定（記憶）後に変更することで、上記のフラグ処理を確実に行うことができるようになる。
【００１３】
（４）本発明の第４の態様に係る画像表示装置の制御方法は、第３の態様において、第３のフラグを操作することにより、前記第１のフラグを初期化するフラグ初期化ステップを含む。
本態様によれば、第３のフラグにより第１のフラグ及び第２のフラグのうち第１のフラグのみを初期化するようにしたので、初回起動後に第１のフラグが変更されたとしても、第３のフラグの操作により、起動後に時刻設定画面を表示することができるようになる。
これにより、例えば画像表示装置の修理が必要となり、ユーザーの手元を離れて修理センター等に持ち込まれた場合でも、ユーザーは、修理後の初回起動時に、計時部の時刻を設定することができるようになる。従って、画像表示装置の利便性を向上させることができるようになる。
【００１４】
（５）本発明の第５の態様に係る画像表示装置の制御方法は、第１の態様乃至第４の態様のいずれかにおいて、前記計時部に設定されている時刻を用いて、エラーログ又は前記画像表示装置の構成部品の交換ログを更新するログ更新ステップを含む。
本態様によれば、上記の効果に加えて、エラーログ又は交換ログを参照して、ユーザーの使用状況と不具合の解析に活用することができるようになる。例えば、日中に高温異常が発生する頻度が高い場合、日中は使用可能範囲を超える環境になっている可能性があると判断することができる。
これにより、計時部の時刻を用いてより一層きめ細かい保証サービスを提供することができるようになる。
【００１５】
（６）本発明の第６の態様は、画像表示装置が、時計機能を有する計時部と、初回起動のとき、前記計時部の時刻設定を行うための時刻設定画面に対応した画像を表示する画像表示部と、前記時刻設定画面を表示した後、前記計時部の時刻に対応した初回起動タイムスタンプを記憶する初回起動タイムスタンプ記憶部とを含む。
【００１６】
本態様においては、画像表示装置に、計時部を設け、画像表示装置の初回起動と判定されたとき、時刻設定画面を表示している。そして、画像表示装置は、時刻設定画面の表示後、計時部の時刻に対応した初回起動タイムスタンプを初回起動タイムスタンプ記憶部に記憶するようにした。即ち、初回起動後に、時刻設定画面の表示後の初回のみ計時部の時刻に対応した初回起動タイムスタンプを初回起動タイムスタンプ記憶部に記憶するようにした。
これにより、画像表示装置のユーザーの利用開始時刻を把握することができる画像表示装置を提供することができるようになる。その結果、保証サービスの提供側が、利用開始時刻を基準とした保証期間内に適切な保証サービスを提供することができるようになる。
【００１７】
（７）本発明の第７の態様に係る画像表示装置では、第６の態様において、前記画像表示部は、前記時刻設定画面の表示後に変更される第１のフラグに基づいて、前記時刻設定画面に対応した画像を表示し、前記初回起動タイムスタンプ記憶部は、前記初回起動タイムスタンプの設定後に変更される第２のフラグに応じて、前記初回起動タイムスタンプを記憶する。
本態様においては、初回起動か否かを判定するための第１のフラグ、及び初回起動タイムスタンプを設定するか否かを判定するための第２のフラグを用いる。こうすることで、簡素なフラグ処理によりユーザーの利用開始時刻を把握することができる画像表示装置を提供することができるようになる。また、第１のフラグを時刻設定画面の表示後に変更し、第２のフラグを初回起動タイムスタンプの設定後に変更することで、上記のフラグ処理を確実に行うことができるようになる。
【００１８】
（８）本発明の第８の態様に係る画像表示装置は、第６の態様又は第７の態様において、前記計時部に設定されている時刻を用いて、エラーログ又は前記画像表示装置の構成部品の交換ログを更新するログ更新部を含む。
本態様によれば、上記の効果に加えて、エラーログ又は交換ログを参照して、ユーザーの使用状況と不具合の解析に活用することができる画像表示装置を提供することができるようになる。
これにより、計時部の時刻を用いてより一層きめ細かい保証サービスを提供することができるようになる。
【図面の簡単な説明】
【００１９】
【図１】本発明の一実施形態に係る画像表示装置の構成例の機能ブロック図。
【図２】本実施形態のプロジェクターのハードウェア構成例のブロック図。
【図３】図２のフラグ記憶部の説明図。
【図４】図２のログ記憶部の説明図。
【図５】図２のプロジェクターの起動時の処理フローの一例を示す図。
【図６】図５のステップＳ３において表示される時刻設定画面の一例を示す図。
【図７】本実施形態におけるプロジェクターのエラー発生時のログ処理の一例のフロー図。
【図８】本実施形態におけるプロジェクターのランプ交換時のログ処理の一例のフロー図。
【図９】図８のステップＳ３２で表示されるランプ時間を初期化するためのＯＳＤメニュー画面の一例を示す図。
【図１０】本実施形態におけるエラーログ及び交換ログの一例を示す図。
【図１１】本実施形態におけるプロジェクターの修理後における処理例のフロー図。
【図１２】図１２（Ａ）は、工場出荷時の状態での初回起動時のシーケンスの一例を示す図。図１２（Ｂ）は、工場出荷後の２回目以降の起動時のシーケンスの一例を示す図。
【図１３】図１３（Ａ）は、修理センターでの修理後の状態での初回起動時のシーケンスの一例を示す図。図１３（Ｂ）は、修理後の２回目以降の起動時のシーケンスの一例を示す図。
【発明を実施するための形態】
【００２０】
以下、本発明の実施の形態について図面を用いて詳細に説明する。なお、以下に説明する実施の形態は、特許請求の範囲に記載された本発明の内容を不当に限定するものではない。また以下で説明される構成のすべてが本発明の課題を解決するために必須の構成要件であるとは限らない。
【００２１】
〔画像表示装置〕
図１に、本発明の一実施形態に係る画像表示装置の構成例の機能ブロック図を示す。
画像表示装置１０は、リアルタイムクロック部２０と、画像表示部３０と、初回起動タイムスタンプ記憶部４０と、画面生成部５０と、フラグ記憶部６０と、ログ更新部７０とを備えることができる。画像表示装置１０は、図示しない画像信号供給装置から供給された画像信号、又は画面生成部５０によって生成された画面に対応した画像信号に基づいて、画像を表示する。
【００２２】
リアルタイムクロック部２０は、時計機能を有し、「年」、「月」、「日」、「時」、「分」、及び「秒」の時刻データの計時、設定、及び読み出しが可能に構成され、図示しない内蔵バッテリーが装着された状態で計時動作を行う。ここで、リアルタイムクロック部２０は、計時部に相当する。
画像表示部３０は、画像表示装置１０の初回起動のとき、リアルタイムクロック部２０の時刻設定を行うための時刻設定画面を表示する。ここで、初回起動は、梱包された状態で工場出荷された後、ユーザーにより梱包が解かれ、初めて電源を投入して画像表示装置を起動させることを意味している。即ち、ユーザーによって初めて電源が投入されて画像表示装置１０が起動されたとき、画像表示部３０は、時刻設定画面を表示する。
【００２３】
初回起動タイムスタンプ記憶部４０は、画像表示部３０により時刻設定画面を表示した後、リアルタイムクロック部２０の時刻に対応した初回起動タイムスタンプを記憶する。初回起動タイムスタンプは、例えばリアルタイムクロック部２０から読み出された時刻データである。
画面生成部５０は、リアルタイムクロック部２０の時刻設定を行うための時刻設定画面を生成する。画面生成部５０は、予め記憶された時刻設定画面情報を読み出して時刻設定画面を生成することができる。時刻設定画面は、リアルタイムクロック部２０の時刻設定を行うか否かの指示をユーザーに求める画面である。
【００２４】
フラグ記憶部６０は、初回起動フラグと、ログクリアフラグとを記憶する。初回起動フラグ及びログクリアフラグの各々は、初期値に設定されており、所定のタイミングでフラグの状態が変更される。初回起動フラグに基づいて、画像表示部３０は時刻設定画面の表示又は非表示を切り替えたり、初回起動タイムスタンプ記憶部４０には初回起動タイムスタンプが記憶されたりする。具体的には、初回起動フラグは、時刻設定画面の表示後に変更される時刻設定画面表示フラグ（第１のフラグ）及び初回起動タイムスタンプの記憶後に変更される初回起動時刻保存フラグ（第２のフラグ）を含む。画像表示部３０は、時刻設定画面表示フラグに基づいて、時刻設定画面に対応した画像を表示する。初回起動タイムスタンプ記憶部４０は、初回起動時刻保存フラグに応じて、初回起動タイムスタンプを記憶する。
【００２５】
ログ更新部７０は、リアルタイムクロック部２０の時刻を用いて、画像表示装置１０の動作中に発生したエラーの履歴情報であるエラーログ又は画像表示装置１０の構成部品の交換ログを更新する。フラグ記憶部６０に記憶されるログクリアフラグを操作することにより、エラーログ及び交換ログは消去される。
【００２６】
このような画像表示装置１０によれば、初回起動を行ったときのみリアルタイムクロック部２０の時刻に対応した初回起動タイムスタンプが保存（又は設定）される。そのため、ユーザーの利用開始時刻を正確に把握することができる画像表示装置を提供することができるようになる。その結果、保証サービスの提供側が、利用開始時刻を基準とした保証期間内に適切な保証サービスを提供することができるようになる。
【００２７】
〔プロジェクター〕
次に、本実施形態の画像表示装置１０の具体的な構成例及び制御例について説明する。
図２に、本実施形態の画像表示装置１０としてのプロジェクターのハードウェア構成例のブロック図を示す。図２は、いわゆる液晶プロジェクターの構成例を表す。
図３に、図２のフラグ記憶部１２２の説明図を示す。
図４に、図２のログ記憶部１２６の説明図を示す。
【００２８】
プロジェクター１００は、ランプ１０２と、ランプ駆動部１０４と、液晶ライトバルブ１０６と、画像処理部１０８と、液晶パネル駆動部１１０とを備えている。更に、プロジェクター１００は、記憶部１２０と、制御部１３０と、リアルタイムクロック部１３２と、インターフェース（InterFace：以下、Ｉ／Ｆ）部１３４と、操作部１３６、電源部１３８とを備えている。画像処理部１０８は、ＯＳＤ（On-Screen Display）メニュー画像生成部（画面生成部）１０９を備えている。記憶部１２０は、フラグ記憶部１２２と、初回起動タイムスタンプ記憶部１２４と、ログ記憶部１２６とを備えている。画像処理部１０８、液晶パネル駆動部１１０、記憶部１２０、制御部１３０及びＩ／Ｆ部１３４は、バスＢＵＳを介して接続されている。
【００２９】
フラグ記憶部１２２は、図３に示すように、初回起動フラグ１５０と、ログクリアフラグ（第３のフラグ、Ｆ３）１６０とを記憶する。初回起動フラグ１５０は、時刻設定画面表示フラグ（第１のフラグ、Ｆ１）１５１と、初回起動時刻保存フラグ（第２のフラグ、Ｆ２）１５２とを含む。
また、ログ記憶部１２６は、図４に示すように、エラーログ１７０と、ランプ交換ログ１７１とを記憶する。
【００３０】
プロジェクター１００の図示しない外部接続端子には、外部から画像信号を供給する画像信号供給装置２００が接続される。画像信号供給装置２００の機能は、例えばパーソナルコンピューター（Personal Computer：以下、ＰＣ）やビデオレコーダー等により実現される。画像信号供給装置２００は、アナログ画像信号ＶＳとして、例えばＰＣのコンピューター画像を表すＲＧＢ信号や、ビデオレコーダーやテレビジョン受信機からのコンポジット信号を、プロジェクター１００に供給する。このアナログ画像信号ＶＳは、画像処理部１０８に入力される。
【００３１】
ランプ１０２は、例えば、高圧水銀ランプや、メタルハライドランプ及びハロゲンランプ等の放電式ランプを用いている。
ランプ駆動部１０４は、図示しないイグナイター回路及びバラスト回路を備え、ランプ１０２の点灯及び消灯を行う。イグナイター回路は、点灯時にランプ１０２の電極間に高電圧を印加して絶縁破壊を起こさせ、放電経路を形成する。バラスト回路は、ランプ点灯後にアーク放電を安定化させ、これを維持する。
【００３２】
画像処理部１０８は、アナログ画像信号ＶＳに対して公知の画像処理を行い、画像処理後の画像信号ＤＳｃを液晶パネル駆動部１１０に対して出力する。画像処理部１０８は、例えばアナログ画像信号ＶＳをＡ／Ｄ変換し、Ａ／Ｄ変換後の画像信号に対してガンマ補正を行う。そして、画像処理部１０８は、ガンマ補正後の画像信号に対して色むら補正を行い、Ｄ／Ａ変換を行って画像信号ＤＳｃとして液晶パネル駆動部１１０に出力する。
【００３３】
また、画像処理部１０８は、画像信号供給装置２００からの画像信号に対応した画像に代えて、ＯＳＤメニュー画像生成部１０９により生成されたＯＳＤメニュー画像に対応した画像信号を液晶パネル駆動部１１０に出力することができる。或いは、画像処理部１０８は、画像信号供給装置２００からの画像信号に対応した画像に重ねて、ＯＳＤメニュー画像生成部１０９により生成されたＯＳＤメニュー画像に対応した画像信号を液晶パネル駆動部１１０に出力することができる。
【００３４】
液晶パネル駆動部１１０は、画像処理部１０８からの画像信号に基づいて、液晶ライトバルブ１０６を構成し色光毎に設けられた液晶パネルを駆動する。
液晶ライトバルブ１０６では、ランプ１０２が放射した光を、赤色光、青色光、及び緑色光により構成される光の３原色成分に分離する。色光毎に設けられた光変調素子としての液晶パネルには、対応する色光が照射されており、液晶ライトバルブ１０６は、画像信号に応じて色光を変調した後、合成してスクリーンＳＣに投写する。
【００３５】
記憶部１２０は、プログラムが格納されるプログラムエリアや、プログラムの作業データが一時的に格納される作業エリアを有すると共に、フラグ記憶部１２２、初回起動タイムスタンプ記憶部１２４及びログ記憶部１２６として機能する記憶エリアを有する。このような記憶部１２０の機能は、１又は複数の記憶デバイスにより構成されてもよい。少なくとも、フラグ記憶部１２２、初回起動タイムスタンプ記憶部１２４及びログ記憶部１２６は、例えばフラッシュメモリーや、ＥＥＰＲＯＭ等の不揮発性のメモリーから構成されている。また、記憶部１２０には、液晶ライトバルブ１０６により画像を表示するために必要な各種の所定のパラメーター等が記憶されている。
【００３６】
制御部１３０は、中央演算処理装置（Central Processing Unit：以下、ＣＰＵ）を有し、記憶部１２０のプログラムエリアに記憶されたプログラムを読み込んで該プログラムに対応したソフトウェア処理により、画像表示装置１０の各部を制御する。
【００３７】
リアルタイムクロック部１３２は、時計機能を有し、「年」、「月」、「日」、「時」、「分」、及び「秒」の時刻データの計時、設定、及び読み出しが可能に構成され、図示しない内蔵バッテリーが装着された状態で計時動作を行う。時刻データの設定及び読み出しは、制御部１３０によって行われる。なお、リアルタイムクロック部１３２は、バスＢＵＳに接続され、バスＢＵＳを介して時刻データの設定等が行われてもよい。このリアルタイムクロック部１３２には、予め任意の時刻が設定されている。
【００３８】
Ｉ／Ｆ部１３４には、操作部１３６、電源部１３８、及びランプ駆動部１０４が接続されている。Ｉ／Ｆ部１３４は、制御部１３０と、Ｉ／Ｆ部１３４に接続される各部との間のインターフェース処理を行う。Ｉ／Ｆ部１３４に接続される操作部１３６、電源部１３８、及びランプ駆動部１０４は、Ｉ／Ｆ部１３４を介して制御部１３０により制御される。
【００３９】
操作部１３６は、図示しない複数の操作スイッチから構成されており、この複数のスイッチによりプロジェクター１００の操作が可能となっている。また、図示しないリモコンによっても同様の操作が可能であり、操作部１３６は、リモコンからの送信信号を受信する受信部の機能を備えることができる。このように、操作部１３６は、ユーザーによる入力操作を受け付けることができる。
電源部１３８は、外部電源からの電力をプロジェクター１００の各部に必要な電力様式に変換して、各部に供給している。
【００４０】
図２において、リアルタイムクロック部１３２は、図１のリアルタイムクロック部２０の機能を実現する。即ち、リアルタイムクロック部１３２は、計時部に相当する。例えば液晶パネル駆動部１１０、液晶ライトバルブ１０６、及びランプ１０２は、図１の画像表示部３０の機能を実現する。初回起動タイムスタンプ記憶部１２４は、図１の初回起動タイムスタンプ記憶部４０の機能を実現する。ＯＳＤメニュー画像生成部１０９は、図１の画面生成部５０の機能を実現する。フラグ記憶部１２２は、図１のフラグ記憶部６０の機能を実現する。制御部１３０（又は制御部１３０及び記憶部１２０）は、図１のログ更新部７０の機能を実現する。
【００４１】
図５に、図２のプロジェクター１００の起動時の処理フローの一例を示す。
以下では、工場出荷時において、時刻設定画面表示フラグ（Ｆ１）が「０」、初回起動時刻保存フラグ（Ｆ２）が「０」に初期設定されているものとする。
図６に、図５のステップＳ３において表示される時刻設定画面の一例を示す。
【００４２】
まず、プロジェクター１００は、ステップＳ１において、電源の投入を監視しており、電源が投入されると（ステップＳ１：Ｙ）、ステップＳ２において、制御部１３０にて時刻設定画面表示フラグＦ１が「０」であるか否かを判別する。即ち、ステップＳ２では、初回起動判定ステップとして、プロジェクター１００は、制御部１３０において、時刻設定画面表示フラグＦ１に基づいて初回起動か否かを判定する。
【００４３】
ステップＳ２において、時刻設定画面表示フラグＦ１が「０」である、即ち、時刻設定が行われていないと判別されたとき（ステップＳ２：Ｙ）、ステップＳ３において、プロジェクター１００は、図６に示すような時刻設定画面を表示する。即ち、ステップＳ３では、時刻設定画面表示ステップとして、プロジェクター１００は、液晶ライトバルブ１０６等により、時刻設定画面の画像に対応した画像信号に基づいて、時刻設定画面をスクリーンＳＣに表示する。時刻設定画面の画像は、ＯＳＤメニュー画像生成部１０９によって生成される。一方で、ステップＳ２において時刻設定画面表示フラグＦ１が「０」ではないと判定されたとき（ステップＳ２：Ｎ）、ステップＳ１１に移行する。
【００４４】
時刻設定画面では、リアルタイムクロック部１３２に新たに時刻の設定を行うか（「はい」の表示ボタン）、行わないか（「いいえ」の表示ボタン）の指示を促す画面が表示される。次にステップＳ４において、時刻設定が実行されるか否かを判別する。ユーザーは、操作部１３６を介して、選択候補として「はい」又は「いいえ」のボタン間を移動させながら、選択候補のボタンを図示しない決定キーの押下により決定する。時刻設定画面において、ユーザーの操作により「はい」の表示ボタンが選択及び決定されて時刻設定の指示を行ったとき（ステップＳ４：Ｙ）、ステップＳ５において、制御部１３０は、設定後の時刻をリアルタイムクロック部１３２に設定する。ステップＳ５では、ユーザーの指示により、設定したい時刻（例えば、サマータイム）の入力を受け付け、この時刻が、リアルタイムクロック部１３２に設定される。一方で、ステップＳ４において時刻設定を行わない旨の指示があったとき（ステップＳ４：Ｎ）、ステップＳ６に移行する。
【００４５】
次にステップＳ６において、プロジェクター１００は、制御部１３０において、初回起動時刻保存フラグＦ２が「０」であるか否かを判定する。
【００４６】
初回起動時刻保存フラグＦ２が「０」である、即ち初回起動における時刻設定の保存であると判定されたとき（ステップＳ６：Ｙ）、ステップ７において、制御部１３０は、リアルタイムクロック部１３２の時刻に対応した初回起動タイムスタンプを初回起動タイムスタンプ記憶部１２４に記憶させる。ステップＳ７では、リアルタイムクロック部１３２の時刻に対応した初回起動タイムスタンプを初回起動タイムスタンプ記憶部１２４に記憶させることで、初回起動タイムスタンプを設定している。一方で、ステップＳ６において初回起動時刻保存フラグＦ２が「０」ではないと判定されたとき（ステップＳ６：Ｎ）、ステップＳ９に移行する。
【００４７】
即ち、ステップＳ７では、初回起動タイムスタンプ記憶ステップとして、プロジェクター１００は、ステップＳ３において時刻設定画面を表示した後、リアルタイムクロック部１３２の時刻に対応した初回起動タイムスタンプを記憶（設定）している。具体的には、ステップＳ７では、時刻設定画面において時刻設定の指示が行われたとき、プロジェクター１００は、設定後の時刻をリアルタイムクロック部１３２に設定した後、リアルタイムクロック部１３２の時刻に対応した初回起動タイムスタンプを設定する。
一方、ステップＳ４において時刻設定画面において時刻設定の指示が行われないとき、ステップＳ７ではリアルタイムクロック部１３２の時刻に対応した初回起動タイムスタンプが設定される。このようにステップＳ７では、初回起動時刻保存フラグＦ２に応じて、既に設定されたリアルタイムクロック部１３２の時刻、又は設定後のリアルタイムクロック部１３２の時刻のいずれかに対応した初回起動タイムスタンプが設定される。
【００４８】
次にステップＳ８において、制御部１３０は、初回起動時刻保存フラグＦ２を「１」にセットする。即ち、初回起動時刻保存フラグＦ２は、初回起動タイムスタンプの設定後に変更される。また、初回起動時刻保存フラグＦ２が「１」であることは、プロジェクター１００の初回起動時における時刻保存が行われたことを示す。
【００４９】
次にステップＳ９において、制御部１３０は、時刻設定画面表示フラグＦ１を「１」にセットする。即ち、時刻設定画面表示フラグＦ１は、時刻設定画面の表示後に変更される。また、時刻設定画面表示フラグＦ１が「１」であることは、プロジェクター１００の初回起動時に時刻設定画面が表示されたことを示す。その後、ステップＳ１０に移行する。
【００５０】
一方、ステップＳ２において時刻設定画面表示フラグＦ１が０ではないと判定されたとき（ステップＳ２：Ｎ）、ステップＳ１１において、制御部１３０は、リアルタイムクロック部１３２のバッテリー切れか否かを判定する。例えば制御部１３０は、リアルタイムクロック部１３２のバッテリーの電圧を検知することで、バッテリー切れか否かを判定することができる。
【００５１】
バッテリー切れと判定されたとき（ステップＳ１１：Ｙ）、ステップＳ１２において、制御部１３０は、Ｉ／Ｆ部１３４を介して図示しないインジケーター部によりバッテリー切れを通知する。一方で、バッテリー切れでないと判定されたとき（ステップＳ１１：Ｎ）、ステップＳ１０に移行する。
【００５２】
最後にステップＳ１０において、プロジェクター１００は、画像信号供給装置２００からの画像信号に対応した画像表示を開始する。
その後、プロジェクター１００は、一連の処理を終了する（エンド）。
【００５３】
〔ログ処理〕
上記のように起動後に動作を開始するプロジェクター１００は、電源投入後から画像表示中において、リアルタイムクロック部１３２の時刻を用いて、プロジェクター１００のエラー発生時やランプ交換時の時刻をログとして記録することができる。
【００５４】
図７に、本実施形態におけるプロジェクター１００のエラー発生時のログ処理の一例のフロー図を示す。記憶部１２０のプログラムエリアには、予め図７の各ステップに対応したプログラムが記憶されており、制御部１３０を構成するＣＰＵが、記憶部１２０からプログラムを読み出し、該プログラムに対応した処理を実行することで、図７の処理を実現する。
【００５５】
制御部１３０は、例えば電源投入後から画像表示中において、プロジェクター１００内におけるエラーイベントの検知によりエラーの発生を監視している（ステップＳ２０：Ｎ、リターン）。
ステップＳ２０において、プロジェクター１００内でエラーの発生が検出されると（ステップＳ２０：Ｙ）、ステップＳ２１において、制御部１３０は、エラー発生時におけるリアルタイムクロック部１３２の時刻をエラーの発生種類に対応付けてエラーログとしてログ記憶部１２６に保存する。
これ以降、制御部１３０は、エラーの発生の監視を継続する（リターン）。
【００５６】
図８に、本実施形態におけるプロジェクター１００のランプ交換時のログ処理の一例のフロー図を示す。記憶部１２０のプログラムエリアには、予め図８の各ステップに対応したプログラムが記憶されており、制御部１３０を構成するＣＰＵが、記憶部１２０からプログラムを読み出し、該プログラムに対応した処理を実行することで、図８の処理を実現する。
図９に、図８のステップＳ３２で表示されるランプ時間を初期化するためのＯＳＤメニュー画面の一例を示す。
【００５７】
ランプ１０２には、ヒューズが内蔵されており、ランプ交換後の初回点灯時にヒューズが切れるようになっている。ステップＳ３０において、制御部１３０は、このヒューズが切れたか否かを判別することで、ランプ交換後の初回点灯が行われたか否かを判定する。
ステップＳ３０において、ランプ交換後の初回点灯が行われたと判定されたとき（ステップＳ３０：Ｙ）、ステップＳ３１において、制御部１３０は、ランプ交換後の初回点灯時におけるリアルタイムクロック部１３２の時刻をランプ交換ログとしてログ記憶部１２６に保存する。
一方、ステップＳ３０において、ランプ交換後の初回点灯が行われないと判定されたとき（ステップＳ３０：Ｎ）、ステップＳ３２において、制御部１３０は、ユーザーの操作により、図９に示すＯＳＤメニュー画面を表示して、ランプ時間（ランプの使用時間）の初期化が指示されたか否かを判定する。
【００５８】
ステップＳ３２において、ランプ時間の初期化が指示されたとき（ステップＳ３２：Ｙ）、ステップＳ３１に移行し、制御部１３０は、ランプ時間を初期化すると共に、初期化時におけるリアルタイムクロック部１３２の時刻をランプ交換ログとしてログ記憶部１２６に保存する。
ステップＳ３１、又はステップＳ３２においてランプ時間の初期化が指示されないとき（ステップＳ３２：Ｎ）、制御部１３０は、ステップＳ３０に戻る（リターン）。
【００５９】
以上のように、図７のステップＳ２１又は図８のステップＳ３１では、ログ更新ステップとして、プロジェクター１００は、リアルタイムクロック部１３２の時刻を用いて、エラーログ又はプロジェクター１００のランプ１０２の交換ログを更新することができる。
【００６０】
図１０に、本実施形態におけるエラーログ及び交換ログの一例を示す。
例えば修理センターにおいて、不具合等のためにプロジェクター１００を修理する場合、プロジェクター１００に対して所定の操作を行うことで、図１０に示すようなログ画面が表示される。このログ画面では、初回起動時刻（初回起動タイムスタンプ）、直近の所定回数分のランプ交換時刻、直近の所定回数分のエラー発生時刻とエラーの種類とが表示される。
【００６１】
これにより、修理センターのスタッフは、ログ画面を参照してユーザーの使用状況と不具合の解析に活用することができる。例えば、日中に高温異常が発生する頻度が高い場合、日中は使用可能範囲を超える環境になっている可能性があると判断することができる。
この修理センターにおいて解析が終了し、対応する修理が完了すると、修理センターのスタッフは、修理後のプロジェクター１００に対して、次のような処理を行う。
【００６２】
図１１に、本実施形態におけるプロジェクター１００の修理後における処理例のフロー図を示す。
電源投入後、制御部１３０は、ログクリアフラグＦ３がセットされたか否かを監視している（ステップＳ４０：Ｎ、リターン）。このログクリアフラグＦ３のセットは例えば、プロジェクター１００の修理が完了した後に、修理センターのスタッフが、操作部１３６を介して指示する。
【００６３】
ステップＳ４０において、制御部１３０は、このスタッフの操作によりログクリアフラグＦ３がセットされたことを検出すると（ステップＳ４０：Ｙ）、ステップ４１において、記憶部１２０に保存されているエラーログを消去し、ステップＳ４２において、ランプ交換ログを消去する。
【００６４】
続いてステップＳ４３において、制御部１３０は、時刻設定画面表示フラグＦ１を「０」に初期化し、ステップＳ４０に戻る（リターン）。即ち、ステップＳ４３では、プロジェクター１００は、フラグ初期化ステップとして、ログクリアフラグＦ３を操作することにより、時刻設定画面表示フラグＦ１を初期化する。
【００６５】
〔起動シーケンス例〕
以上のような処理が行われるプロジェクター１００は、工場出荷時の起動後シーケンスと修理センターでの修理後の起動シーケンスとが異なる。
【００６６】
図１２（Ａ）、図１２（Ｂ）に、工場出荷時におけるプロジェクター１００の起動シーケンスの一例を示す。図１２（Ａ）は、工場出荷時の状態での初回起動時のシーケンスの一例を表す。図１２（Ｂ）は、工場出荷後の２回目以降の起動時のシーケンスの一例を表す。
【００６７】
工場出荷時の状態で電源が投入されると（ＳＱ１）、時刻設定画面表示フラグが初期状態であるため、プロジェクター１００は、時刻設定画面を表示する（ＳＱ２）。その後、プロジェクター１００は、時刻設定画面を見たユーザーの指示に従って時刻設定等を行い、リアルタイムクロック部１３２の時刻に対応した初回起動タイムスタンプを設定する（ＳＱ３）。このとき、時刻設定画面表示フラグが「１」に設定される。そして、プロジェクター１００は、通常表示を開始する（ＳＱ４）。
【００６８】
これに対して、初回起動タイムスタンプが設定された後、２回目以降に電源投入されると（ＳＱ５）、時刻設定画面表示フラグが「１」に設定されているため、プロジェクター１００は、時刻設定画面を表示することなく、通常表示を開始する（ＳＱ６）。
【００６９】
図１３（Ａ）、図１３（Ｂ）に、修理後のプロジェクター１００の起動シーケンスの一例を示す。図１３（Ａ）は、修理センターでの修理後の状態での初回起動時のシーケンスの一例を表す。図１３（Ｂ）は、修理後の２回目以降の起動時のシーケンスの一例を表す。
【００７０】
修理センターでの修理後の状態で電源が投入されると（ＳＱ１０）、時刻設定画面表示フラグが初期状態であるため、プロジェクター１００は、時刻設定画面を表示する（ＳＱ２）。このとき、初回起動時刻保存フラグについては、「１」に設定されている。そのため、プロジェクター１００は、時刻設定画面を見たユーザーの指示に従って時刻設定等を行うが、初回起動タイムスタンプの設定を行わない（ＳＱ１１）。その後、時刻設定画面表示フラグが「１」に設定される。そして、プロジェクター１００は、通常表示を開始する（ＳＱ１２）。
これに対して、修理後において２回目以降に電源投入されると（ＳＱ１３）、時刻設定画面表示フラグが「１」に設定されているため、プロジェクター１００は、時刻設定画面を表示することなく、通常表示を開始する（ＳＱ１４）。
【００７１】
以上説明したように、本実施形態によれば、初回起動を行ったときのみ時刻設定画面を表示し、リアルタイムクロック部２０の時刻に対応した初回起動タイムスタンプを設定することができるようになる。そのため、初回起動タイムスタンプに基づいてユーザーの利用開始時刻を正確に把握することができるプロジェクターを提供することができ、利用開始時刻を基準とした保証期間内に適切な保証サービスを提供することができるようになる。
【００７２】
以上、本発明に係る画像表示装置の制御方法、及び画像表示装置等を上記の実施形態形に基づいて説明したが、本発明は上記の実施形態に限定されるものではない。その要旨を逸脱しない範囲において種々の態様において実施することが可能であり、例えば次のような変形も可能である。
【００７３】
（１）上記の実施形態では、画像表示装置としてプロジェクターを例に説明したが、本発明は、これに限定されるものではない。本発明に係る画像表示装置として、例えばプロジェクションＴＶ、液晶ＴＶ、車載用液晶表示装置、ノートＰＣ、液晶モニター、ＣＲＴ等の画像を表示するものがある。
【００７４】
（２）上記の実施形態では、光変調素子として透過型液晶パネルを用いて画像を投写するプロジェクターを例に説明したが、本発明はこれに限定されるものではない。光変調素子として、例えばＤＭＤ（Digital Micromirror Device)、反射型液晶パネル等を採用するものであってもよい。
【００７５】
（３）上記の実施形態では、画像表示装置の構成部品の交換ログとしてプロジェクターのランプの交換ログを例に説明したが、本発明はこれに限定されるものではない。
【００７６】
（４）上記の実施形態において、本発明を、画像表示装置の制御方法、及び画像表示装置等として説明したが、本発明はこれに限定されるものではない。例えば、本発明に係る画像表示装置の制御方法の処理手順が記述されたプログラム、このプログラムが記録された記録媒体であってもよい。
【符号の説明】
【００７７】
１０…画像表示装置、  ２０，１３２…リアルタイムクロック部（ＲＴＣ部）、
３０…画像表示部、  ４０，１２４…初回起動タイムスタンプ記憶部、
５０…画面生成部、  ６０，１２２…フラグ記憶部、  ７０…ログ更新部、
１００…プロジェクター、  １０２…ランプ、  １０４…ランプ駆動部、
１０６…液晶ライトバルブ、  １０８…画像処理部、
１０９…ＯＳＤメニュー画像生成部、  １１０…液晶パネル駆動部、  １２０…記憶部、
１２６…ログ記憶部、  １３０…制御部、  １３４…Ｉ／Ｆ部、  １３６…操作部、
１３８…電源部、  １５０…初回起動フラグ、
１５１…時刻設定画面表示フラグ（第１のフラグ）、
１５２…初回起動時刻保存フラグ（第２のフラグ）、
１６０…ログクリアフラグ（第３のフラグ）、  １７０…エラーログ、
１７１…ランプ交換ログ、  ２００…画像信号供給装置、  ＢＵＳ…バス、
ＳＣ…スクリーン
【図１】
0005887806.tif 000002
【図２】
0005887806.tif 000003
【図３】
0005887806.tif 000004
【図４】
0005887806.tif 000005
【図５】
0005887806.tif 000006
【図６】
0005887806.tif 000007
【図７】
0005887806.tif 000008
【図８】
0005887806.tif 000009
【図９】
0005887806.tif 000010
【図１０】
0005887806.tif 000011
【図１１】
0005887806.tif 000012
【図１２】
0005887806.tif 000013
【図１３】
0005887806.tif 000014